(57)【要約】【課題】フルセグの番組と同期して表示するための字幕情報等のデータ放送の情報を、特に再生機器が対応していなかった新たな様式を準備することなく準備することができる電子機器を提供する。【解決手段】デジタルテレビジョン放送受信装置(録画機器)１１１は、地上デジタル放送におけるフルセグの番組データを、より圧縮率の高いコーデックでトランスコードしてＨＤＤ１２５に記録すると共に、ワンセグのデータ放送のデータをＨＤＤ１２５に記録する。ＨＤＤ１２５に記録されたフルセグの番組データと、ワンセグのデータ放送のデータは、ＳＤカード１１９にSD VIDEO規格で記録される。再生機器４００は、ＳＤカード１１９からSD VIDEO規格で記録されているフルセグの番組データと、ワンセグのデータ放送のデータとを読み出して表示部に同期して表示する。【選択図】  図１
2012235262.tif 000002
【特許請求の範囲】
【請求項１】
固定受信機向けに放送された第１の番組と、この第１の番組と同じ番組が移動体向けにサイマル放送されデータ放送によるデータを含む第２の番組を受信する受信手段と、
前記第１の番組を再圧縮する再圧縮手段と、
前記再圧縮手段により再圧縮された前記第１の番組と前記受信手段により受信された前記第２の番組とを関連付けて、着脱可能な第１の記録媒体に記録する記録手段とを備えた電子機器。
【請求項２】
前記再圧縮手段は、前記放送された第１の番組のコーデックとは異なる、より圧縮率の高い他のコーデックにてトランスコードする請求項１記載の電子機器。
【請求項３】
前記再圧縮手段は、前記第１の番組を第２の記録媒体に記録するときに前記トランスコードし、
前記記録手段は、前記第２の記録媒体にトランスコードされた前記第１の番組を、前記着脱可能な第１の記録媒体に記録する請求項２記載の電子機器。
【請求項４】
更に、前記受信手段により受信した前記第１の番組と前記第２の番組とが同じ番組のサイマル放送でないとき、前記記録手段に前記第２の番組を記録させないよう制御する制御手段を備えた請求項１乃至３のいずれか１項記載の電子機器。
【請求項５】
固定受信機向けに放送された第１の番組と、この第１の番組と同じ番組が移動体向けにサイマル放送されデータ放送によるデータを含む第２の番組を受信手段により受信し、
前記受信された前記第１の番組と前記第２の番組とを関連付けて、着脱可能な記録媒体に記録された前記記録媒体が着脱されるスロットと、
前記スロットに装着された記録媒体から前記第１の番組と前記第２の番組に含まれるデータ放送のデータとを再生する再生手段と、
前記再生手段により再生された前記第１の番組の映像と、前記第２の番組に含まれるデータ放送のデータを再生した映像とを同期して再生する再生手段とを備えた電子機器。
【請求項６】
前記再生手段は、前記第１の番組の映像上に、前記第２の番組に含まれるデータ放送のデータを再生した映像を重ねた映像を再生する請求項５記載の電子機器。
【発明の詳細な説明】
【技術分野】
【０００１】
この発明は、サイマル放送されたフルセグの番組およびワンセグの番組を関連付けて記録媒体に記録する記録装置と、この記録媒体から再生したフルセグの番組およびワンセグの番組を同期して表示する再生装置に関する。
【背景技術】
【０００２】
従来、一の録画命令によりデジタル放送受信部と、アナログ放送受信部と、２つの受信部にて受信される一のデジタル放送コンテンツと、そのコンテンツのサイマル放送であるアナログ放送コンテンツとを、同時録画する技術がある（例えば、特許文献１参照）。
【０００３】
また、サイマル放送の１２セグコンテンツと１セグコンテンツを記録すると共にそれぞれの管理情報を関連付けて記録する。そして記録再生装置入出力Ｉ／Ｆに接続された携帯端末に、１セグコンテンツ及びその管理情報をムーブする技術がある（例えば、特許文献２参照）。
【０００４】
また、映像データと関連する字幕データを含むコンテンツを記録媒体から再生するコンテンツ再生装置において、コンテンツから字幕データを抽出し、記録媒体に保存する。そして字幕情報を再生すると、指定された字幕情報の時刻情報と一致する時刻情報を有するコンテンツを記録媒体から検索して再生させる技術がある（例えば、特許文献３参照）。
【０００５】
また、フルセグのMPEG2からH.264等にトランスコードして、SD VIDEOフォーマットでＳＤカードに書きこむ技術がある（例えば、非特許文献１参照）。
【先行技術文献】
【特許文献】
【０００６】
【特許文献１】特開２００８−０５４１０７号公報
【特許文献２】特開２００９−０５５６２９号公報
【特許文献３】特開２００９−３０２７０２号公報
【非特許文献】
【０００７】
【非特許文献１】大和哲、“第454回：おでかけ転送 とは - ケータイ Watch”、［online］、２０１０年４月９日、株式会社Impress Watch  ケータイ Watch編集部、［２０１１年４月２６日検索］、インターネット＜URL：http://k-tai.impress.co.jp/docs/column/keyword/20100209_347956.html＞
【発明の概要】
【発明が解決しようとする課題】
【０００８】
地デジ持ち出しでは、録画したフルセグの番組を圧縮変換してダビングするため、ワンセグよりも高画質に番組を視聴できるのが特徴であるが、圧縮変換して生成された番組には字幕情報やデータ放送情報が含まれていないので別途準備する必要があるが、従来の電子機器ではフルセグの番組と同期して表示するための字幕情報等のデータ放送の情報を、再生機器が対応していなかった新たな様式で設ける必要があった。
【０００９】
また、再生時にフルセグの番組と、ワンセグのデータ放送とを同期して表示することができなかった。
この発明は、フルセグの番組と同期して表示するための字幕情報等のデータ放送の情報を、特に再生機器が対応していなかった新たな様式を準備することなく準備することができる電子機器を提供することを目的とする。
【００１０】
また、他の発明は、再生時にフルセグの番組と、ワンセグのデータ放送とを同期して表示することができる電子機器を提供することを目的とする。
【課題を解決するための手段】
【００１１】
上記の目的を達成するために、この実施形態においては、固定受信機向けに放送された第１の番組と、この第１の番組と同じ番組が移動体向けにサイマル放送されデータ放送によるデータを含む第２の番組を受信する受信手段と、前記第１の番組を再圧縮する再圧縮手段と、前記再圧縮手段により再圧縮された前記第１の番組と前記受信手段により受信された前記第２の番組とを関連付けて、着脱可能な第１の記録媒体に記録する記録手段とを備えた電子機器。
【００１２】
を提供する。
また、上記の目的を達成するために、この実施形態においては、固定受信機向けに放送された第１の番組と、この第１の番組と同じ番組が移動体向けにサイマル放送されデータ放送によるデータを含む第２の番組を受信手段により受信し、前記受信された前記第１の番組と前記第２の番組とを関連付けて、着脱可能な記録媒体に記録された前記記録媒体が着脱されるスロットと、前記スロットに装着された記録媒体から前記第１の番組と前記第２の番組に含まれるデータ放送のデータとを再生する再生手段と、前記再生手段により再生された前記第１の番組の映像と、前記第２の番組に含まれるデータ放送のデータを再生した映像とを同期して再生する再生手段とを備えた電子機器を提供する。
【００１３】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【図面の簡単な説明】
【００１４】
【図１】実施形態の全体を示す図。
【図２】実施形態における録画機器としてのデジタルテレビジョン放送受信装置１１１の外観と、このデジタルテレビジョン放送受信装置１１１を中心として構成されるネットワークシステムを説明するための図。
【図３】実施形態における録画機器としてのデジタルテレビジョン放送受信装置１１１の主要な信号処理系を示す図。
【図４】再生機器のシステム構成図。
【図５】ダビングする番組の詳細を示す図。
【図６】ダビング番組の再生の一例を示す図。
【図７】同期表示方法を示す図。
【図８】表示画面の一例を示す図。
【発明を実施するための形態】
【００１５】
以下、図面を参照しながら実施形態について説明する。
図１に実施形態の一例を示す。
図１において、録画機器および再生機器は、電子機器である。
図１において、録画機器としてのデジタルテレビジョン放送受信装置１１１は、受信した番組を録画ストレージであるＨＤＤ１２５等に録画（記録）することができる。なお、説明の便宜上、単に録画と記載しているが、音声やデータ放送を含めて録画と記し説明する。
【００１６】
録画する番組Ａが、固定受信機向けに放送されたフルセグ（１２セグメント放送）と移動体向けに放送されたワンセグとでサイマル放送されている場合には、フルセグの番組Ａとワンセグの番組Ａとを同じ１つの番組（即ち、サイマル放送された同じ番組Ａ）として、同時にＨＤＤ１２５に録画することができる。
【００１７】
これは番組Ａのフルセグデータ１１と、番組Ａのワンセグデータ１２を同時に録画し、このフルセグデータ１１とワンセグデータ１２とがサイマル放送された同じ番組Ａであることを、何かしら関連付けてＨＤＤ１２５に記録することにより、同じ番組Ａであることを識別できるようにしている。
【００１８】
ＨＤＤ１２５に記録するときの関連付けの例としては、例えばフルセグデータ１１とワンセグデータ１２とがサイマル放送された同じ番組であることを示すテーブルを持たせたり、或いはフルセグデータ１１とワンセグデータ１２とでＨＤＤ１２５に記録したときに作成するファイル名の部分を同じと、フルセグとワンセグとでそれぞれ所定の拡張子で保存する等である。各システムにて関連付けられていることが分かるように記録すればよい。
【００１９】
ＨＤＤ１２５への記録フォーマットについては、例えばフルセグデータ１１とワンセグデータ１２ともに、ＴＳ（トランスポート・ストリーム）形式の例えばファイルとして記録する。フルセグデータ１１とワンセグデータ１２の各ＴＳファイルは、放送の１つのＴＳから抽出したパーシャルＴＳの形式となる。
【００２０】
他の関連付けの例としては、放送されたトランスポート・ストリーム（以下、ＴＳと記す）をＳＩ情報を含んだままの形式で記録し、固定受信機向けに放送されたフルセグの番組と、移動体向けに放送されたワンセグの番組とがサイマル放送されている場合には、サイマル放送している旨の付加データを新たに加えＨＤＤ１２５に記録するようにしてもよい。
【００２１】
なお、フルセグの番組とワンセグの番組とがサイマル放送であるか否かの検出方法としては、例えばサービス・インフォメーション（ＳＩ情報）データに含まれている番組のタイトルの類似性を活用し、ある程度類似していればサイマル放送されていると判断すればよい。また、現行ＡＲＩＢの規格ではサイマル放送しているか否かを示すフラグは含まれていないが、将来このフラグが送信された場合には、このフラグを活用し検出するようにしてもよい。
【００２２】
このような録画機器としてのデジタルテレビジョン放送受信装置１１１は、通常、フルセグの番組とワンセグの番組とがサイマル放送でない場合にはフルセグの放送のみをフルセグデータ１１としてＨＤＤ１２５に録画する。
【００２３】
図２は、図１における録画機器としてのデジタルテレビジョン放送受信装置１１１の外観と、このデジタルテレビジョン放送受信装置１１１を中心として構成されるネットワークシステムの一例を概略的に示している。
【００２４】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００２５】
また、このデジタルテレビジョン放送受信装置１１１には、例えばＳＤ（Secure Digital）カード、ＭＭＣ（Multimedia Card）及びメモリスティック等の第１のメモリカードとしてのＳＤカード１１９が着脱可能となっており、この第１のメモリカードとしてのＳＤカード１１９に対して番組や写真等の情報の記録再生が行なわれるようになっている。
【００２６】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００２７】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００２８】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００２９】
なお、ＨＤＤ１２５は、ＬＡＮ対応のものでなくてもよく、例えば他のインターフェースを介した内蔵ＨＤＤの形態をとってもよい。
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００３０】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００３１】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００３２】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００３３】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００３４】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００３５】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００３６】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００３７】
図３は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００３８】
チューナ２４５ａは、制御部２６１からの制御信号により所望のチャンネルの放送信号を選局し、この選局された放送信号をＰＳＫ（Phase Shift Keying）復調器２４５ｂに出力する。
【００３９】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００４０】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００４１】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００４２】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００４３】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００４４】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００４５】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００４６】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００４７】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００４８】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００４９】
また、字幕放送による字幕を表示するとき、グラフィック処理部２５４は、制御部２６１からの制御による字幕情報に基づき、映像信号上に字幕情報を重畳する処理を行う。
【００５０】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００５１】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００５２】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００５３】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００５４】
また、この制御部２６１は、カードＩ／Ｆ（Interface）２６５を介して、前記第１のメモリカードとしてのＳＤカード１１９が装着可能なカードホルダ２６６に接続されている。これによって、制御部２６１は、カードホルダ２６６に装着された第１のメモリカードとしてのＳＤカード１１９と、カードＩ／Ｆ２６５を介して情報伝送することができる。
【００５５】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００５６】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００５７】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図２参照）と、通信Ｉ／Ｆ２７０を介して情報伝送することができる。
【００５８】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図２参照）と、ＵＳＢ  Ｉ／Ｆ２７１を介して情報伝送することができる。
【００５９】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図２参照）と、ｉ．ＬＩＮＫ  Ｉ／Ｆ２７２を介して情報伝送することができる。
【００６０】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００６１】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この実施形態に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００６２】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００６３】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００６４】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００６５】
録画機器としてのデジタルテレビジョン放送受信装置１１１は、ＳＤカードスロット２６６を有しており、このＳＤカードスロット２６６にＳＤカード１１９を装填して、ＨＤＤ１２５に記録した録画番組をＳＤカード１１９へダビングすることができる。
【００６６】
（フルセグデータ  H.264 Mobile Video Profileの番組についてのダビング）
録画機器としてのデジタルテレビジョン放送受信装置１１１は、録画番組をＨＤＤ１２５からＳＤカード１１９へダビングする際に、フルセグデータ１１はより圧縮率の高い形式にトランスコードすることで圧縮変換し、SD VIDEO規格のH.264 Mobile Video Profile形式のプログラム２１としてＳＤカード１１９に書き込む。
なお、本実施形態はフルセグデータ１１をトランスコードすることは必須ではなく、例えばフルセグデータ１１のデータ放送を除いたデータと、ワンセグデータ１２のデータ放送のデータとを組にして同期表示させてもよい。
上記説明ではダビング時にパーシャルＴＳをトランスコードするものとして説明した。この場合にはダビング時にトランスコード処理が必要となり、ダビング時間が長くなるという問題がある。これを防ぐためＨＤＤ１２５への記録時にＴＳ記録するのではなく、これに代え図５中の番組データ本体であるＭｅｄｉａ  Ｏｂｊｅｃｔファイルについて、録画時のトランスポートストリームを録画時にリアルタイムでトランスコードしておき、Ｍｅｄｉａ  Ｏｂｅｊｃｔファイルの形式に近い形でＨＤＤ１２５へ記録しておくとダビングに時間を要しないため好ましい。なお、ダビング時にはＣＰＲＭでの暗号処理の処理は必要である。
Ｍｅｄｉａ  Ｏｂｊｅｃｔファイル以外のメタファイルは、ＨＤＤ１２５内に記録されているパーシャルＴＳの方式から、ＳＤカードへのダビング時に変換して記録しても、この変換にはトランスコード程は負荷は掛からないので時間的に問題はなく、ダビング時にパーシャルＴＳの方式からＳＤカードへ記録するときのフォーマットへ変換する。
【００６７】
（ワンセグデータ  ISDB-T Mobile Video Profileの番組についてのダビング）
ワンセグデータ１２は圧縮変換せずに、SD VIDEO規格のISDB-T Mobile Video Profile形式のプログラム２２としてＳＤカードに書き込む。これらＳＤカード１１９に書き込んだ（ダビングされた）データの詳細については、後に図５を用いて説明する。
Ｍｅｄｉａ  Ｏｂｅｊｅｃｔファイルは、実際にはトランスポートストリーム形式であり、このＴＳ形式でＨＤＤ１２５へ記録される。ダビング時には、ＣＰＲＭでの暗号処理の処理は必要である。Ｍｅｄｉａ  Ｏｂｊｅｃｔファイル以外のメタファイルは、ＨＤＤ１２５内に記録されているパーシャルＴＳの方式から、ＳＤカードへのダビング時に変換して記録しても、この変換にはトランスコード程は負荷は掛からないので時間的に問題はなく、ダビング時にパーシャルＴＳの方式からＳＤカードへ記録するときのフォーマットへ変換する。
【００６８】
また、ＨＤＤ１２５に一旦記録することなしに、放送を受けて直接ＳＤカードに記載するようにしても実施形態としては適用できる。しかし、現時点では、放送を受けて直接ＳＤカードに録画する方法については、ダビング１０との兼ね合いからＡＲＩＢ（電波産業会）に認められていないため、技術的には可能であるが、現時点では適用することができない。もし、認められる放送を受けて直接ＳＤカードに録画する方法が認められるようになれば、問題なく適用することができる。
【００６９】
図４は、ＳＤカード１１９へダビングした番組の再生機器４０１に関するシステム構成を示す図である。
システム制御や映像再生、再生制御のための様々な演算処理は、ＭＰＵ３０１とＲＡＭ３０２で実行される。再生機能は、映像再生部３０５と再生制御部３０６でＳＤカード１１９スロット３０４に装填されるＳＤカード１１９に記録された番組をＬＣＤ表示部３０３に表示する。
【００７０】
図５は、ＳＤカード１１９にダビングした番組の詳細を示す図である。
デジタルテレビジョン放送受信装置１１１は、番組はＳＤ−Ｖｉｄｅｏ形式（SD VIDEO規格の形式）でＳＤカード１１９に記録される。
記録されるデータはＳＤ−Ｖｉｄｅｏ管理データとして、ＳＤ−Ｖｉｄｅｏ管理データファイル５０１（ＭＧＲ＿ＤＡＴＡ）と、ＳＤ−Ｖｉｄｅｏプログラム管理ファイル５０２（ＰＲＧ＿ＭＧＲ）が書き込まれる。
【００７１】
ＳＤ−Ｖｉｄｅｏディレクトリ以下にはフルセグを圧縮変換してダビングしたSD VIDEO規格のH.264 Mobile Video Profile形式のプログラムであるＰＲＧ００１と、ワンセグのデータをＳＤカードに記録するときの規格であるSD VIDEO規格のISDB-T Mobile Video Profile形式のプログラムであるＰＲＧ００２が書き込まれる。
【００７２】
（フルセグを圧縮変換してダビングした信号に関する処理）
フルセグを圧縮変換してダビングした信号の、SD VIDEO規格に基づいたＳＤカード１１９へのデータの書き込みについては、ＳＤＡ（SD Card Assocication）から提供される次の２つの規格に基づき書き込まれる。
（１）SD Specifications Part8  H.264 Mobile Video Profile Specification Version1.00
（２）SD Specifications Part8  H.264 Mobile Video Profile Specification Version1.00 Supplementary Note
図５のＰＲＧ００１は、プログラム情報管理ファイル５０３（ＰＲＧ００１．ＰＧＩ）と、Ｍｅｄｉａ  Ｏｂｊｅｃｔファイル５０４（ＭＯＶ００１．ＳＤ１）とから構成される。
・プログラム情報管理ファイル５０３（ＰＲＧ００１．ＰＧＩ）：  録画番組のメタ情報に関するファイルであり、録画時間、番組名、番組名説明などの番組メタ情報が記述される。
・Ｍｅｄｉａ  Ｏｂｊｅｃｔファイル５０４（ＭＯＶ００１．ＳＤ１）：  録画番組の正に本体のデータであり、このデータの中に、フルセグ放送による映像・音声を圧縮変換した映像・音声データが含まれているが、フルセグ放送によるデータ放送のデータは含まれていない。著作権保護技術のＣＰＲＭで暗号化されて記録される。
（ワンセグの信号に関する処理）
ワンセグの信号の、SD VIDEO規格に基づいたＳＤカード１１９へのデータの書き込みについては、ＳＤＡ（SD Card Assocication）から提供される次の規格に基づき書き込まれる。
（１）SD Specifications Part8  ISDB-T Mobile Video Profile Specification Version1.20
図５のＰＲＧ００２は、プログラム情報管理ファイル５０５（ＰＲＧ００１．ＰＧＩ）と、Ｍｅｄｉａ  Ｏｂｊｅｃｔ情報ファイル５０６（ＭＯＶ００１．ＭＯＩ）と、Ｍｅｄｉａ  Ｏｂｊｅｃｔ付加情報ファイル５０６（ＭＯＶ００１．ＭＡＩ）と、Ｍｅｄｉａ  Ｏｂｊｅｃｔファイル５０８（ＭＯＶ００１．ＴＯＥ）とから構成される。
・プログラム情報管理ファイル５０５（ＰＲＧ００１．ＰＧＩ）：  フルセグのものと同様、録画番組のメタ情報に関するファイルであり、録画時間、番組名、番組名説明などの番組メタ情報が記述される。
・Ｍｅｄｉａ  Ｏｂｊｅｃｔ情報ファイル５０６（ＭＯＶ００１．ＭＯＩ）：  録画番組のトランスポートストリームに関する情報のファイルであり、番組再生に関する時間情報に関するものなどが含まれている。
・Ｍｅｄｉａ  Ｏｂｊｅｃｔ付加情報ファイル５０６（ＭＯＶ００１．ＭＡＩ）：  上記のＭＯＩファイルの付加情報に関するファイルである。番組再生に関する時間情報を捕捉するデータに関するファイルである。例えば、ＭＯＩファイルと合わせることで、あるＴＳパケットのデータを開始から何秒後に再生するべきかといった情報が記載されています。
・Ｍｅｄｉａ  Ｏｂｊｅｃｔファイル５０８（ＭＯＶ００１．ＴＯＥ）：  録画番組の正に本体のデータであり、このデータの中に、ワンセグ放送による映像・音声の他、ワンセグ放送によるデータ放送のデータも含まれている。このＭｅｄｉａ  Ｏｂｊｅｃｔファイル５０８は著作権保護技術のＣＰＲＭで暗号化されて記録される。
図６は、再生機器４０１でＳＤカード１１９へダビングしたSD VIDEO規格のH.264 Mobile Video Profile形式に準拠したプログラム２１と、SD VIDEO規格のISDB-T Mobile Video Profile形式のプログラム２２とを再生する場合の一例を示す図である。
【００７３】
再生機器４０１のＬＣＤ表示部４０３は、映像表示領域６０１とデータ放送表示領域６０２を備えている。この図６では、映像表示領域６０１とデータ放送表示領域６０２は、１つのＬＣＤ上の異なる領域に配置されている。しかし、本実施形態はこれに限定せず、例えば図８に示す通り映像表示領域６０１（例えば番組の映像を表示）の上に、データ放送表示領域６０２（例えば字幕を表示）を設けて重ねて表示させるようにしてもよい。
【００７４】
再生機器４０１は、SD VIDEO規格のH.264 Mobile Video Profile形式のプログラム２１を読み込み、映像表示領域６０１に映像を表示する。
【００７５】
一方、再生機器４０１は、SD VIDEO規格のISDB-T Mobile Video Profile形式のプログラム２２を読み込み、この中に含まれるワンセグのデータ放送の信号を得て、このワンセグのデータ放送の信号から生成したデータ放送の映像をデータ放送表示領域６０２へ表示する。このデータ放送表示領域６０２へ表示する、ワンセグのデータ放送による映像としては、例えば番組の表示すべきタイミングに表示する解説等のデータ放送の他、映像に同期して表示させるデータ放送、例えば字幕データの同期表示にも使用できる。
【００７６】
再生機器４０１は、映像表示領域６０１にSD VIDEO規格のH.264 Mobile Video Profile形式の映像データ２１と、データ放送表示領域６０２にSD VIDEO規格のISDB-T Mobile Video Profile形式の映像データ２２とを同期表示させる。実際に映像表示領域６０１に表示される映像データは、Ｍｅｄｉａ  Ｏｂｊｅｃｔファイル５０４（ＭＯＶ００１．ＳＤ１）の中に含まれており、データ放送表示領域６０２に表示する元のデータ放送のデータは、Ｍｅｄｉａ  Ｏｂｊｅｃｔファイル５０８（ＭＯＶ００１．ＴＯＥ）の中に含まれている。
【００７７】
図７は、図６で示した同期表示させるための方法を示すための図である。
映像表示領域６０１には、ＭＰ４ファイルフォーマットのＰＲＧ００１／ＭＯＶ００１．ＳＤ１のＭｅｄｉａ  Ｏｂｊｅｃｔファイル５０４（フルセグ放送による映像・音声を圧縮変換した映像・音声データが含まれているファイル）がＳＤカード１１９から読み込まれ、再生された映像が表示される。映像／音声の再生同期情報は、ＰＲＧ００１／ＭＯＶ００１．ＳＤ１のＭｅｄｉａ  Ｏｂｊｅｃｔファイル５０４のｍｏｏｖ内の、ｓｔｂｌ（Sample Table Box）５４０１内に配置されたｓｔｔｓ（Time To Sample Box）５０４２から取得され、映像と音声との同期がとられて再生される。これによりフルセグ放送による映像・音声を圧縮変換した映像と、音声との同期がとられた状態で再生が行われる。
【００７８】
上記フルセグ放送による映像・音声を圧縮変換した映像と、音声との同期がとられた状態で再生開始すると、このタイミングに合わせてワンセグ放送によるデータ放送のデータの再生も開始する。これにより映像表示領域６０１に表示される番組の映像・音声と、データ放送表示領域６０２に表示されるデータ放送の映像・音声とは、同期したタイミングでＬＣＤ表示部４０３に表示される。例えば、映像表示領域６０１に表示される番組の映像・音声と、データ放送表示領域６０２に表示される字幕とが、同期したタイミングでＬＣＤ表示部４０３に表示される。
【００７９】
また、特殊再生などで映像表示領域６０１に表示されるフルセグの番組の映像・音声をスキップさせた場合、これに合わせてデータ放送表示領域６０２に表示されるデータ放送の映像・音声の方についても、ワンセグの番組の頭から５分の位置へスキップして再生する。
【００８０】
以下、ワンセグ放送によるデータ放送のデータの再生について、より詳細に説明する。
データ放送表示領域６０２は、ＴＳファイルフォーマットのＰＲＧ００２／ＭＯＶ００１．ＴＯＥのＭｅｄｉａ  Ｏｂｊｅｃｔファイル５０８（ワンセグ放送による映像・音声の他、ワンセグ放送によるデータ放送のデータも含まれているファイル）が読み込まれて、この中に含まれるデータ放送のデータからデータ放送の表示画面が再生されて表示される。このデータ放送の表示画面の作成処理については、制御部２６１が生成する。
データ放送の表示同期情報は、ＰＲＧ００２／ＭＯＶ００１．ＭＯＩのＭｅｄｉａ  Ｏｂｅｊｅｃｔ情報ファイル５０８のＴｉｍｅ  Ｓｅａｒｃｈ  Ｔａｂｌｅ５０８１内に配置されたＴｉｍｅ  Ｓｅａｒｃｈ  Ｅｎｔｒｙ５０８２から取得され、これに基づいたタイミングでデータ放送の表示が行われる。
このワンセグ放送によるデータ放送のデータの再生位置については、先にも説明した通り、フルセグ放送による映像・音声を圧縮変換した映像の再生位置と同期した位置を再生するので、映像表示領域６０１に表示されるフルセグの番組の映像・音声と、放送表示領域６０２に表示される字幕とが、同期したタイミングでＬＣＤ表示部４０３に表示される。
【００８１】
本実施形態では、録画機器からのダビング時に圧縮番組とワンセグ番組を両方ダビングし、再生機での圧縮番組の映像・音声の再生と同期させて、ワンセグの字幕情報やデータ放送情報を表示できるようにする。
【００８２】
なお、本実施形態は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の実施形態を形成できる。例えば、実施形態に示される全構成要素から幾つかの構成要素を削除してもよい。
【符号の説明】
【００８３】
１１…フルセグデータ、１２…ワンセグデータ、２１…SD VIDEO規格のH.264 Mobile Video Profile形式のプログラム、２２…SD VIDEO規格のISDB-T Mobile Video Profile形式のプログラム、１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード（ＳＤカード）、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ、２６６，４０４…カードスロット、４００…再生機器、４０１…ＭＰＵ、４０２…ＲＡＭ、４０３…ＬＣＤ表示部、４０５…映像再生部、４０６…再生制御部、５０１…ＳＤ−Ｖｉｄｅｏデータ管理ファイル、５０２…ＳＤ−Ｖｉｄｅｏプログラム管理ファイル、５０３…プログラム情報管理ファイル、５０４…Ｍｅｄｉａ  Ｏｂｅｊｅｃｔファイル、５０５…プログラム情報ファイル、５０６…Ｍｅｄｉａ  Ｏｂｅｊｃｔ情報ファイル、５０７…Ｍｅｄｉａ  Ｏｂｊｅｃｔ付加情報ファイル、５０８…Ｍｅｄｉａ  Ｏｂｊｅｃｔファイル、６０１…映像表示領域、６０２…データ放送表示領域。
【図１】
2012235262.tif 000003
【図２】
2012235262.tif 000004
【図３】
2012235262.tif 000005
【図４】
2012235262.tif 000006
【図５】
2012235262.tif 000007
【図６】
2012235262.tif 000008
【図７】
2012235262.tif 000009
【図８】
2012235262.tif 000010